(57)【要約】【課題】本発明は、放送を受信可能な機能を有する通信端末および電子装置と、その通信端末あるいは電子装置宛に受信可能な放送を報知する無線装置と、これらの通信端末あるいは電子装置が存在し得る位置に対応して上記報知されるべき放送が予め登録されたデータベースとに関し、操作が煩雑化することなく放送の受信機能の有効な活用と、多様なユーザが欲する放送の簡便な視聴とを可能とすることを目的とする。【解決手段】移動通信系による通信サービスの提供に供される通信端末であって、前記移動通信系が識別した前記通信端末の位置に応じて前記移動通信系から通知された放送を識別する識別手段と、前記放送を受信の対象とする受信支援手段とを備える。【選択図】図１
2011135203.tif 000002
【特許請求の範囲】
【請求項１】
移動通信系による通信サービスの提供に供される通信端末であって、
前記移動通信系が識別した前記通信端末の位置に応じて前記移動通信系から通知された放送を識別する識別手段と、
前記放送を受信の対象とする受信支援手段と
を備えたことを特徴とする通信端末。
【請求項２】
移動通信系による通信サービスの提供に供される通信端末であって、
前記移動通信系に自局の位置を通知する位置通知手段と、
前記自局の位置に応じて前記移動通信系から通知された放送を識別する識別手段と、
前記放送を受信の対象とする受信支援手段と
を備えたことを特徴とする通信端末。
【請求項３】
移動通信系による通信サービスの提供に供される通信端末であって、
前記移動通信系が識別した前記通信端末の位置に応じて前記移動通信系から通知されたサーバを識別する識別手段と、
前記サーバによって通知された放送を受信の対象とする受信支援手段と
を備えたことを特徴とする通信端末。
【請求項４】
移動通信系による通信サービスの提供に供される通信端末であって、
前記移動通信系が識別した前記通信端末の位置に応じて前記移動通信系から通知された放送を識別する識別手段と、
前記放送の受信のためにユーザが行う前記通信端末の操作を支援する受信支援手段と
を備えたことを特徴とする通信端末。
【請求項５】
移動通信系による通信サービスの提供に供される通信端末であって、
前記移動通信系に自局の位置を通知する位置通知手段と、
前記自局の位置に応じて前記移動通信系から通知された放送を識別する識別手段と、
前記放送の受信のためにユーザが行う前記通信端末の操作を支援する受信支援手段と
を備えたことを特徴とする通信端末。
【請求項６】
移動通信系による通信サービスの提供に供される通信端末であって、
前記移動通信系が識別した前記通信端末の位置に応じて前記移動通信系から通知されたサーバを識別する識別手段と、
前記サーバによって通知された放送の受信のためにユーザが行う前記通信端末の操作を支援する受信支援手段と
を備えたことを特徴とする通信端末。
【請求項７】
移動体への搭載、または携帯が可能であり、既定の機能を有する電子装置であって、
前記電子装置の位置を含む地域で行われる無線伝送により報知された放送を識別する識別手段と、
前記放送を受信の対象とする受信支援手段と
を備えたことを特徴とする電子装置。
【請求項８】
移動体への搭載、または携帯が可能であり、既定の機能を有する電子装置であって、
前記電子装置の位置を含む地域で行われる無線伝送により報知されたサーバを識別する識別手段と、
前記サーバによって通知された放送を受信の対象とする受信支援手段と
を備えたことを特徴とする電子装置。
【請求項９】
移動体への搭載、または携帯が可能であり、既定の機能を有する電子装置であって、
前記電子装置の位置を含む地域で行われる無線伝送により報知された放送を識別する識別手段と、
前記サーバによって通知された放送の受信のためにユーザが行う前記通信端末の操作を支援する受信支援手段と
を備えたことを特徴とする電子装置。
【請求項１０】
移動体への搭載、または携帯が可能であり、既定の機能を有する電子装置であって、
前記電子装置の位置を含む地域で行われる無線伝送により報知されたサーバを識別する識別手段と、
前記サーバによって通知された放送の受信のためにユーザが行う前記通信端末の操作を支援する受信支援手段と
を備えたことを特徴とする電子装置。
【請求項１１】
配下に形成された無線ゾーンまたはセクターに位置する端末に通信サービスまたは放送サービスを提供する無線装置であって、
前記端末の位置を計測し、あるいは識別する位置識別手段と、
前記端末の位置で前記端末が受信可能な放送を識別し、前記放送を前記端末に報知する報知手段と
を備えたことを特徴とする無線装置。
【請求項１２】
配下に形成された無線ゾーンまたはセクターに位置する端末に通信サービスまたは放送サービスを提供する無線装置であって、
前記端末から通知された前記端末の位置を識別する位置識別手段と、
前記端末の位置で前記端末が受信可能な放送を識別し、前記放送を前記端末に報知する報知手段と
を備えたことを特徴とする無線装置。
【請求項１３】
配下に形成された無線ゾーンまたはセクターに位置する端末に通信サービスまたは放送サービスを提供する無線装置であって、
前記無線ゾーンと前記セクターとの双方または何れか一方毎に、個別に位置する端末が受信可能な放送を識別する放送識別手段と、
前記双方または何れか一方毎に、前記放送を報知する報知手段と
を備えたことを特徴とする無線装置。
【請求項１４】
配下に形成された無線ゾーンまたはセクターと、前記無線ゾーンもしくは前記セクターにおける端末の位置との全てまたは一部に対応して、前記端末が受信し得る放送が予め登録された記憶手段と、
外部から与えられた問い合わせに含まれる特定の無線ゾーン、特性のセクターまたは特定の位置に対応して前記記憶手段に登録された放送を前記問い合わせに対する応答として出力する応答手段と
を備えたことを特徴とするデータベース。
【請求項１５】
配下に形成された無線ゾーンまたはセクターと、前記無線ゾーンもしくは前記セクターにおける端末の位置との全てまたは一部に対応して、前記端末が受信し得る放送に併せて、前記放送の属性が予め登録された記憶手段と、
外部から与えられた問い合わせに含まれる特定の無線ゾーン、特性のセクターまたは特定の位置に対応して前記記憶手段に登録された放送の内、前記問い合わせに含まれる属性との相関がある放送を前記問い合わせに対する応答として出力する応答手段と
を備えたことを特徴とするデータベース。
【発明の詳細な説明】
【技術分野】
【０００１】
本発明は、放送を受信可能な機能を有する通信端末および電子装置と、その通信端末あるいは電子装置宛に受信可能な放送を報知する無線装置と、これらの通信端末あるいは電子装置が存在し得る位置に対応して上記報知されるべき放送が予め登録されたデータベースとに関する。
【背景技術】
【０００２】
近年、携帯電話システムの端末（以下、単に「携帯端末」という。）は、高度に進展した電気通信技術、高密度実装技術および情報処理技術が多様に組み合わせられることにより多機能化し、大半の機種には、通話やメールの送受信機能に併せて、例えば、ＧＰＳ(Global Positioning System) を利用した測位、ワンセグメント放送（以下、「ワンセグ放送」という。）の受信その他の多くの機能が備えられている。
【０００３】
また、ワンセグ放送は、地上デジタル放送システムで行なわれる移動体向けの放送であるが、所望の地域において多様な分野の宣伝・広告・普及等の活動への柔軟な適用が可能であるため、これらの活動を目的として多くの「自主放送」が開始され、あるいは計画されつつある。
【０００４】
さらに、このようなワンセグ放送の受信機能は、高度に進展した集積回路技術の適用により安価に実現可能あるために、携帯端末だけではなく、ＰＨＳ端末、ＰＤＡ等の多様な端末装置にも組み込まれつつある。
【０００５】
このような携帯端末等に搭載されたワンセグ放送の受信機能は、多くの場合、放送事業者が提供する放送の受信のために用いられるが、既述の自主放送の受信には、その自主放送の存在を知る限られた少数のユーザのみが可能であった。
【０００６】
なお、本発明に関連する先行技術としては、以下に列記する特許文献１ないし特許文献４があった。
(1) 「地上波デジタル放送信号の一部に混ぜて送信されるワンセグ放送におけるニュースや天気予報、交通情報、番組関連情報などのデータ放送に、オートチャンネル切替えに必要な放送局チャンネル情報を付加して送信し、一方、地上波デジタル放送対応端末装置は、現在受信中の放送局の電波の受信状況をチェックするとともに、ワンセグ放送を受信する第２の受信部２２により異なるエリアの同局系列の放送局の電波を受信した場合には、該同局系列の放送局の電波の受信状況をチェックすることにより、これら２つの電波の受信状況を比較し、受信状況の良い放送局を選択する」ことにより、「放送エリアが変わったときに系列放送への自動切り替えを、比較的簡単な構成で実現する」点に特徴があるオートチャンネル切替え方式…特許文献１
【０００７】
(2) 「ユーザのテレビ受信機一体型携帯電話装置１０１から通話相手テレビ受信機一体型携帯電話装置１０１’に、ユーザが現在視聴中の番組の選局情報を送信し、通話相手側のテレビ受信機一体型携帯電話装置１０１’で、ユーザが視聴しているテレビ番組を放送している放送波と同じ放送波を選局させ、通話相手にユーザが視聴しているテレビ番組を設定する」ことにより、「通話相手の受信可能な放送波に応じて、ユーザが特定したテレビ番組に該当するテレビ番組を通話相手に視聴させることができる」点に特徴があるテレビ受信機、携帯電話、及びテレビ受信機一体型携帯電話装置…特許文献２
【０００８】
(3) 「ワンセグメント放送を帯域内に含むＯＦＤＭデジタル放送を少なくとも１波以上有線伝送路に送出する送出手段を送出側に備え、該有線伝送路で伝送された該ワンセグメント放送を携帯受信端末に免許不要な電波で無線接続する中継装置を受信側に備え、前記送出手段は有線テレビ放送の施設あるいは館内テレビ放送の施設内に設置される」ことによって、「携帯受信端末により屋内や館内でも簡便にかつ高品質で受信させ、携帯受信端末向けのＣＡＴＶ放送や館内放送の提供を実現する」点に特徴があるワンセグメント放送システム…特許文献３
【０００９】
(4) 「放送されたコンテンツを受信する受信手段と、コンテンツの録画を予約するための録画予約情報を生成する録画予約情報生成手段と、録画予約情報に従って、前記受信手段で受信したコンテンツを録画する録画手段と、コンテンツをダイジェスト再生するためのダイジェスト情報を、外部装置から受信するダイジェスト情報受信手段と、前記ダイジェスト情報受信手段で受信したダイジェスト情報に従って、録画手段で録画したコンテンツをダイジェスト再生する再生手段とを備える」ことによって、「小さな処理容量の携帯型電子装置でもダイジェストを再生可能にし、他装置との通信量を少なく抑える」点に特徴がある携帯型電子装置…特許文献４
【先行技術文献】
【特許文献】
【００１０】
【特許文献１】特開２００８−１３６０６９号公報
【特許文献２】特開２００５−８６７６５号公報
【特許文献３】特開２００８−３４８９８号公報
【特許文献４】特開２００８−９２５１１号公報
【発明の概要】
【発明が解決しようとする課題】
【００１１】
ところで、上述した従来例では、自主放送は、ユーザがポスターや携帯サイトなどの広告媒体の掲載を参照することによってその存在を知り、さらに、その掲載から所望の自主放送のチャンネル番号を取得して携帯端末等に設定しなければ受信できない。
【００１２】
すなわち、自主放送を受信できるユーザは、上記広告媒体へのアクセスが可能であって、所望の自主放送を見い出し、このような自主放送の受信を積極的に行うユーザに限られていた。
【００１３】
したがって、自主放送は、その自主放送の提供者の期待や意図に即し、かつ関連する分野に興味を有する多くの者には視聴され難く、普及の進展を促進する技術やプロモーションが強く要望されていた。
【００１４】
本発明は、操作が煩雑化することなく放送の受信機能の有効な活用と、多様なユーザが欲する放送の簡便な視聴とを可能とする通信端末、電子装置、無線装置およびデータベースを提供することを目的とする。
【課題を解決するための手段】
【００１５】
請求項１に記載の発明では、移動通信系による通信サービスの提供に供される通信端末において、識別手段は、前記移動通信系が識別した前記通信端末の位置に応じて前記移動通信系から通知された放送を識別する。受信支援手段は、前記放送を受信の対象とする。
すなわち、本発明に係る通信端末は、自局の位置を計測する手段を備えない場合であっても、上記移動通信系によってその通信端末による視聴が可能と判断され、かつ通知された放送を受信することができる。
【００１６】
請求項２に記載の発明では、移動通信系による通信サービスの提供に供される通信端末において、位置通知手段は、前記移動通信系に自局の位置を通知する。識別手段は、前記自局の位置に応じて前記移動通信系から通知された放送を識別する。受信支援手段は、前記放送を受信の対象とする。
すなわち、本発明に係る通信端末は、自局の位置を計測するために備えられた手段が有効に活用されることにより、上記移動通信系の負荷の軽減が図られ、かつ視聴可能な放送を精度よく識別することができる。
【００１７】
請求項３に記載の発明では、移動通信系による通信サービスの提供に供される通信端末において、識別手段は、前記移動通信系が識別した前記通信端末の位置に応じて前記移動通信系から通知されたサーバを識別する。受信支援手段は、前記サーバによって通知された放送を受信の対象とする。
すなわち、本発明に係る通信端末は、自局の位置を計測する手段を備えない場合であっても、上記移動通信系によって識別されたその通信端末の位置に応じて定まるサーバによって通知された放送を受信することができる。
【００１８】
請求項４に記載の発明では、移動通信系による通信サービスの提供に供される通信端末において、識別手段は、前記移動通信系が識別した前記通信端末の位置に応じて前記移動通信系から通知された放送を識別する。受信支援手段は、前記放送の受信のためにユーザが行う前記通信端末の操作を支援する。
すなわち、本発明に係る通信端末は、自局の位置を計測する手段を備えない場合であっても、上記移動通信系によってその通信端末による視聴が可能と判断され、かつ通知された放送の受信に必要な操作の支援を受けることができる。
【００１９】
請求項５に記載の発明では、移動通信系による通信サービスの提供に供される通信端末において、位置通知手段は、前記移動通信系に自局の位置を通知する。識別手段は、前記自局の位置に応じて前記移動通信系から通知された放送を識別する。受信支援手段は、前記放送の受信のためにユーザが行う前記通信端末の操作を支援する。
すなわち、本発明に係る通信端末は、自局の位置を計測するために備えられた手段が有効に活用されることにより、上記移動通信系の負荷が軽減されるにもかかわらず、視聴可能な放送の受信に必要な操作の支援を受けることができる。
【００２０】
請求項６に記載の発明では、移動通信系による通信サービスの提供に供される通信端末において、識別手段は、前記移動通信系が識別した前記通信端末の位置に応じて前記移動通信系から通知されたサーバを識別する。受信支援手段は、前記サーバによって通知された放送の受信のためにユーザが行う前記通信端末の操作を支援する。
すなわち、本発明に係る通信端末は、自局の位置を計測する手段を備えない場合であっても、上記移動通信系によって識別されたその通信端末の位置に応じて定まるサーバによって通知された放送の受信に必要な操作の支援を受けることができる。
【００２１】
請求項７に記載の発明では、移動体への搭載、または携帯が可能であり、既定の機能を有する電子装置において、識別手段は、前記電子装置の位置を含む地域で行われる無線伝送により報知された放送を識別する。受信支援手段は、前記放送を受信の対象とする。
すなわち、本発明に係る端末装置では、その端末装置の位置を計測する手段を備えない場合であっても、上記無線伝送を行う系によってその端末装置による視聴が可能と判断され、かつ通知された放送を受信することができる。
【００２２】
請求項８に記載の発明では、移動体への搭載、または携帯が可能であり、既定の機能を有する電子装置において、識別手段は、前記電子装置の位置を含む地域で行われる無線伝送により報知されたサーバを識別する。受信支援手段は、前記サーバによって通知された放送を受信の対象とする。
すなわち、本発明に係る電子装置は、位置を計測する手段を備えない場合であっても、上記無線伝送を行う系によって識別されたその通信端末の位置に応じて定まるサーバによって通知された放送を受信することができる。
【００２３】
請求項９に記載の発明では、移動体への搭載、または携帯が可能であり、既定の機能を有する電子装置において、識別手段は、前記電子装置の位置を含む地域で行われる無線伝送により報知された放送を識別する。受信支援手段は、前記放送の受信のためにユーザが行う前記通信端末の操作を支援する。
すなわち、本発明に係る電子装置は、位置を計測する手段を備えない場合であっても、上記無線伝送を行う系によって報知された放送の受信に必要な操作の支援を受けるができる。
【００２４】
請求項１０に記載の発明では、移動体への搭載、または携帯が可能であり、既定の機能を有する電子装置において、識別手段は、前記電子装置の位置を含む地域で行われる無線伝送により報知されたサーバを識別する。受信支援手段は、前記サーバによって通知された放送の受信のためにユーザが行う前記通信端末の操作を支援する。
すなわち、本発明に係る電子装置は、位置を計測する手段を備えない場合であっても、上記無線伝送を行う系によって識別され、その通信端末の位置に応じて定まるサーバによって通知された放送の受信に必要な操作の支援を受けることができる。
【００２５】
請求項１１に記載の発明では、配下に形成された無線ゾーンまたはセクターに位置する端末に通信サービスまたは放送サービスを提供する無線装置において、位置識別手段は、前記端末の位置を計測し、あるいは識別する。報知手段は、前記端末の位置で前記端末が受信可能な放送を識別し、前記放送を前記端末に報知する。
すなわち、本発明に係る無線装置は、上記無線ゾーンやセクターに位置する端末にその端末の位置を計測する手段を備えない場合であっても、このような端末が受信可能な放送を該当する端末に報知することができる。
【００２６】
請求項１２に記載の発明では、配下に形成された無線ゾーンまたはセクターに位置する端末に通信サービスまたは放送サービスを提供する無線装置において、位置識別手段は、前記端末から通知された前記端末の位置を識別する。報知手段は、前記端末の位置で前記端末が受信可能な放送を識別し、前記放送を前記端末に報知する。
すなわち、本発明に係る無線装置は、配下の端末に備えられ、その端末の位置を計測するために備えられた手段を有効に活用することにより、負荷の軽減を図り、かつこのような端末が受信可能な放送を該当する端末に報知することができる。
【００２７】
請求項１３に記載の発明では、配下に形成された無線ゾーンまたはセクターに位置する端末に通信サービスまたは放送サービスを提供する無線装置において、放送識別手段は、前記無線ゾーンと前記セクターとの双方または何れか一方毎に、個別に位置する端末が受信可能な放送を識別する。報知手段は、前記双方または何れか一方毎に、前記放送を報知する。
すなわち、本発明に係る無線装置は、配下の端末にその端末の位置を計測する手段が備えられない場合であっても、個々の端末位置を上記無線ゾーンまたはセクターの毎に識別し、これらの端末が受信可能な放送を個別に識別して報知する。
【００２８】
請求項１４に記載の発明では、記憶手段には、配下に形成された無線ゾーンまたはセクターと、前記無線ゾーンもしくは前記セクターにおける端末の位置との全てまたは一部に対応して、前記端末が受信し得る放送が予め登録される。応答手段は、外部から与えられた問い合わせに含まれる特定の無線ゾーン、特性のセクターまたは特定の位置に対応して前記記憶手段に登録された放送を前記問い合わせに対する応答として出力する。
すなわち、上記無線ゾーンまたはセクターに位置する端末が受信できる放送は、これらの無線ゾーンまたはセクターの内、所望のものに対応して形成され、かつ本発明に係るデータベースの参照により特定可能となる。
【００２９】
請求項１５に記載の発明では、記憶手段には、配下に形成された無線ゾーンまたはセクターと、前記無線ゾーンもしくは前記セクターにおける端末の位置との全てまたは一部に対応して、前記端末が受信し得る放送に併せて、前記放送の属性が予め登録される。応答手段は、外部から与えられた問い合わせに含まれる特定の無線ゾーン、特性のセクターまたは特定の位置に対応して前記記憶手段に登録された放送の内、前記問い合わせに含まれる属性との相関がある放送を前記問い合わせに対する応答として出力する。
すなわち、本発明に係るデータベースには上記無線ゾーンまたはセクターにおいて端末が受信し得る放送がその放送の属性と共に登録され、個々の端末のユーザが欲する放送は、これらの放送の内、問い合わせに含まれる属性との相関がある放送として特定される。
【発明の効果】
【００３０】
上述したように本発明によれば、通信端末の操作者は、移動通信系との連係の下で自局が視聴可能な放送を自動的に識別することにより、容易に受信の対象とすることができる。
本発明では、収容されるべき通信端末の台数が大きい移動通信系にも適用可能となる。
本発明に係る通信端末の操作者は、移動通信系を介するネットワーク接続の下でサーバと連係することにより、自局が視聴可能な放送を自動的に識別し、かつ容易に受信の対象とすることができる。
【００３１】
本発明に係る通信端末の操作者は、移動通信系との連係の下で自局が視聴可能な放送を自動的に識別することにより、容易に受信の対象とすることができる。
本発明に係る端末装置の操作者は、無線伝送を行う系との連係の下で視聴可能な放送を自動的に識別することにより、容易に受信の対象とすることができる。
本発明に係る電子装置の操作者は、ネットワーク接続の下でサーバと連係することにより、自局が視聴可能な放送を自動的に識別し、かつ容易に受信の対象とすることができる。
【００３２】
本発明に係る電子装置の操作者は、その電子装置が移動通信系に属さない場合であっても、自局が視聴可能な放送を自動的に識別し、かつ容易に受信の対象とすることができる。
本発明に係る電子装置の操作者は、ネットワーク接続の下で上記サーバと連係することにより、自局が視聴可能な放送を自動的に識別し、かつ容易に受信の対象とすることができる
【００３３】
本発明は、配下の無線ゾーンやセクタに位置する個々の端末は、その端末が受信可能な放送を自動的に特定して受信の対象とすることができる。
本発明は、配下の無線ゾーンやセクターに並行して位置し得る端末の台数が大きい場合にも、適用可能となる。
本発明に係る無線装置の負荷は、配下の無線ゾーンやセクターに並行して位置し得る端末の台数が大きい場合にも低く抑えられ、これらの端末に対する既述の放送の報知を効率的に報知することができる。
【００３４】
本発明に係るデータベースは、端末が受信し得る放送の提供者の利便性を損なうことなく構成され、個々の端末のユーザのニーズに対する柔軟な適応が可能となる。
【００３５】
すなわち、本発明が適用された系では、通信端末または電子装置のユーザは、これらの通信端末または電子装置の位置において視聴可能であり、かつニーズに即した放送の存在を容易に把握し、あるいはこれのような放送の視聴を簡便に行うことが可能となる。
また、自主放送その他の放送番組の提供者やスポンサは、個々の番組に適した視聴者の拡大に併せて、これらの視聴者に対する情報の発信を柔軟に確度高く行うことが可能となる。
【図面の簡単な説明】
【００３６】
【図１】本発明の第一の実施形態を示す図である。
【図２】無線基地局の構成を示す図である。
【図３】通信端末の構成を示す図である。
【図４】本発明の第一の実施形態におけるデータベースの構成を示す図である。
【００３７】
【図５】本発明の第一および第二の実施形態における端末装置の動作フローチャートである。
【図６】本発明の第一の実施形態における無線基地局の動作フローチャートである。
【図７】本発明の第二の実施形態を示す図である。
【図８】携帯型端末装置の構成を示す図である。
【図９】本発明の第二の実施形態におけるアクセスポイントの動作フローチャートである。
【図１０】本発明の第二の実施形態におけるデータベースの構成を示す図である。
【発明を実施するための形態】
【００３８】
以下、図面に基づいて本発明の実施形態について詳細に説明する。
〔第一の実施形態〕
【００３９】
図１は、本発明の第一の実施形態を示す図である。
図において、移動通信システムを構成する無線基地局１０が形成する無線ゾーン１０Ｚには通信端末２０が位置し、その無線基地局１０はデータベース３０と連係する。なお、データベース３０は、局内に配置され、あるいはネットワークを介して接続される。また、無線ゾーン１０Ｚは、ワンセグ放送を受信可能な地域に形成される。
【００４０】
無線基地局１０は、図２に示すように、以下の要素で構成される。
(1) アンテナ１１
(2) そのアンテナ１１の給電点に接続された無線部１２
(3) 無線部１２の後段に配置された信号処理部１３
(3) 信号処理部２３の通信ポートに接続され、かつ図示されない上位局（例えば、交換制御局）との間に敷設された通信路１４
(4) 上記無線部１２および信号処理部１３の制御端子に接続された入出力ポートと、既述のデータベース３０および通信路１４に接続された通信ポートとを有する制御部１５
【００４１】
通信端末２０は、図３に示すように、以下の要素で構成される。
(1) アンテナ２１
(2) そのアンテナ２１の給電点に縦続接続された無線部２２および信号処理部２３
(3) 信号処理部２３の音声出力と音声入力とにそれぞれ接続されたスピーカ２４およびマイク２５
【００４２】
(4) ＧＰＳ受信機２６
(5) ワンセグ受信機２７
(6) 上記無線部２２、信号処理部２３、ＧＰＳ受信機２６およびワンセグ受信機２７の制御端子にそれぞれ接続された入出力ポートを有する制御部２８
(7) 制御部２８の特定の入出力ポートに接続された操作表示部２９
【００４３】
データベース３０には、図４に示すように、以下の要素の項目の組み合わせとして構成されるレコードの列が予め登録される。
(1) 通信端末２０が位置し得る地域に付与されたユニークな「地域識別情報」
(2) 上記「地域識別情報」で示される地域において通信端末２０が受信し得る放送を時間帯（日付を含んでもよい。）毎に個別に示す「放送識別子」の列
(3) 上記「放送識別子」で個別に示される放送の「属性」
【００４４】
図５は、本発明の第一の実施形態の動作フローチャートである。
図６は、本発明の第一の実施形態における無線基地局の動作フローチャートである。
以下、図１〜図６を参照して本実施形態の動作を説明する。
本実施形態では、各部の基本的な連係は、以下の通りに行われる。
【００４５】
無線基地局１０は、通信路１４を介して上位局と連係することにより、既定のゾーン構成、周波数配置およびチャネル構成に基づいて無線ゾーン１０Ｚを形成し、その無線ゾーン１０Ｚに位置する通信端末２０の振る舞いに応じて適宜起動されるチャネル制御の手順に基づいて、その通信端末２０の発信動作、着信動作およびハンドオフ（ハンドオーバー）を実現することにより、このような通信端末２０に通信サービスを提供する。
【００４６】
このような通信サービスとして行われる音声通話サービスの過程では、マイク２５およびスピーカ２４を介してユーザと相互に引き渡される音声信号は、制御部２８の配下で信号処理部２３が行う信号処理の下でディジタル信号として無線部２２に引き渡される。無線部２２は、制御部２８の配下でこのようなディジタル信号の変復調を行い、かつ無線信号としてアンテナ２１を介して無線基地局１０と相互に引き渡す。
【００４７】
無線基地局１０では、無線部１２および信号処理部１３は、このようにして引き渡される無線信号に対して、通信端末２０において信号処理部２３および無線部２２が行う処理とほぼ反対の処理（制御部１５の配下で行われる。）を施し、その結果として得られるディジタル信号を通信路１４を介して上位局と相互に引き渡す。
【００４８】
また、通信端末２０では、ユーザが操作表示部２９に対して「ワンセグ放送」の受信にかかわる操作を行うと、制御部２８は、その操作に応じてワンセグ受信部２７に、受信されるべき放送の指定、音声レベル、表示の形態等を設定する。ワンセグ受信部２７は、このようなユーザの操作に応じて特定の「ワンセグ放送」を受信し、制御部２８を介して操作表示部２９に、その「ワンセグ放送」の番組（コンテンツ）を示すディジタル情報を引き渡す。したがって、ユーザは、上記操作に応じて所望の「ワンセグ放送」を利用することができる。
【００４９】
さらに、制御部２８は、既述のチャネル制御の過程、あるいは操作表示部２９を介して行われるユーザの操作に応じて、通信端末２０の位置の計測と、無線基地局１０に対するその位置の通知とを行うべききっかけを識別すると、ＧＰＳ受信部２６に測位指令を与える。ＧＰＳ受信部２６は、このような測位指令に応じてＧＰＳ衛星から到来する無線信号を受信し、その無線信号に基づいて所定の衛星航法処理を行うことにより、通信端末２０が位置する地点の緯度および経度を算出する。制御部２８は、信号処理部２３、無線部２２およびアンテナ２１を介して無線基地局１０宛に、これらの緯度および経度を通知する。
【００５０】
無線基地局１０では、制御部１５は、アンテナ１１、無線部１２および信号処理部１３を介してこのような緯度および経度を取得し、例えば、通信路１４を介して上位局にこれらの緯度および経度を引き渡す。
【００５１】
本実施形態では、データベース３０の各レコードで示される「ワンセグ放送」には、信端末２０が後述する「ゾーン識別子」で示される無線ゾーンにおいて通受信可能であり、宣伝・広告・プロモーション等を目的としてその無線ゾーンを含む地域でローカルに放送される「自主放送」が含まれる。
【００５２】
また、これらのレコードは、本実施形態では、以下の通りに構成される。
(1) 「地域識別情報」には、無線基地局１０およびその他の無線基地局によって個別に形成される無線ゾーンに付与されたユニークな識別子（以下、「ゾーン識別子」という。）が含まれる。
(2) 「放送識別子」には、時間帯毎に対応する「自主放送」を受信するためにワンセグ受信部２７に設定されるべき周波数、チャネル情報その他の情報が含まれる。
(3) 「属性」には、時間帯毎に対応する「自主放送」毎に、番組のタイトル、番組の内容等を示す語や解説が含まれる。
【００５３】
本実施形態の特徴は、無線基地局１０および通信端末２０が以下の通りに連係する点にある。
通信端末２０では、制御部２８は、ユーザが操作表示部２９を操作することによって与えられ、そのユーザが興味を持つ（あるいは視聴を希望する）ワンセグ放送（「自主放送」を含む。）を示すキーワードを取り込み、主記憶上の特定の記憶領域に格納して保持する（図５ステップＳ１）。
【００５４】
既述の発信動作、着信動作およびハンドオフ（ハンドオーバー）の何れかに応じて起動されるチャネル制御の過程では、無線基地局１０と相互に引き渡される制御情報として後述する情報を交換することにより、各部が以下の通りに連係する。なお、このようなチャネル制御の下で行われる呼設定およびハンドオフ（ハンドオーバー）の詳細については、以下では、詳細な説明を省略する。
【００５５】
制御部２８は、上記特定の記憶領域にキーワードが格納されているか否か判定し（図５ステップＳ２）、何らかのキーワードが格納されている場合には、無線基地局１０宛に、これらのキーワードの全てを通知する（図５ステップＳ３）。
【００５６】
無線基地局１０では、制御部１５は、既述のチャネル制御の過程で通信端末２０から通知されたキーワードを識別すると、以下の処理を行う。
(1) 該当するキーワードの送信元である通信端末２０が位置する無線ゾーン１０Ｚを識別する（図６ステップＳ１）。
(2) その無線ゾーン１０Ｚに付与されたユニークなゾーン識別子（以下、「ゾーン識別子Ｚ」という。）を識別する（図６ステップＳ２）。
(3) この時点における時刻ｔを識別する（図６ステップＳ３）。
【００５７】
(4) データベース３０に格納されているレコードの内、「地域識別情報」として「ゾーン識別子Ｚ」が含まれる特定のレコードを識別する（図６ステップＳ４）。
(5) この特定のレコードに列として含まれる「放送識別子」の内、上記時刻ｔを含む時間帯に対応する自主放送の番組であって、「属性」に含まれる番組タイトル、語、解説の何れかに上記キーワードを含む（あるいは、そのキーワードとの相関性が高い）番組（以下、「該当番組」という。）の全てに個別に対応する「放送識別子１」〜「放送識別子ｎ」を識別する（図６ステップＳ５）。なお、上記相関性は、例えば、概念、外観、称呼の多様な組み合わせに基づいて識別される。
(6) 信号処理部１３、無線部１２およびアンテナ１１を介して通信端末２０宛に、これらの「放送識別子１」〜「放送識別子ｎ」を通知する（図６ステップＳ６）。
【００５８】
通信端末２０では、制御部２８は、アンテナ２１、無線部２２および信号処理部２３を介してこのような「放送識別子１」〜「放送識別子ｎ」を取り込み（図５ステップＳ４）、以下の処理を行う。
(1) 通信端末２０の状態（例えば、通話中やインターネットへのアクセス中であるか否かだけではなく、操作表示部２９を介してユーザによって行われた操作に基づいて定まる。）に基づいて、何らかの「自主放送」の受信が許容されるか否かを判別する（図５ステップＳ５）。
(2) 「自主放送」の受信が許容されない状態では、以下の処理を行う。
【００５９】
(2-1) 操作表示部２９を介して（必要であれば、スピーカ２４も介して）ユーザに、「操作に応じて該当する自主放送の視聴が可能であること」、「受信可能な自主放送の一覧（自主放送の存在、内容、概要等の全てまたは一部を示す）」を通知する（図５ステップＳ６）。
(2-2) ユーザが操作表示部２９に対して行った操作によって何らかの自主放送の受信が要求された場合には、その受信が許容される状態となったことを確認した時点で、該当する自主放送の受信に必要な処理を起動する（図５ステップＳ７）。
【００６０】
(3) 上記判別の下で「自主放送」の受信が許容される状態を識別すると、以下の処理を行う。
(3-1) 「放送識別子１」〜「放送識別子ｎ」の数ｎが複数であるか否か判別する（図５ステップＳ８）。
(3-2) その数ｎが「１」である場合には、操作表示部２９を介して（必要であれば、スピーカ２４も介して）ユーザに、「受信可能な自主放送（その自主放送の存在、内容、概要等の全てまたは一部を示す）」を通知し、ワンセグ受信部２７にその自主放送の受信を指示する（図５ステップＳ９）。
【００６１】
(3-3) その数ｎが「２」以上である場合には、操作表示部２９を介して（必要であれば、スピーカ２４も介して）ユーザに、受信可能な自主放送の一覧（自主放送の存在、内容、概要等の全てまたは一部を示す）」を通知し、さらに、操作表示部２９を介してユーザによって行われる所望の自主放送の指定を待ち受ける（図５ステップＳ１０）。なお、このような所望の自主放送の指定は、例えば、予め設定された条件の下で特定される自主放送を自動的に指定する処理で代替されてもよい。
(3-4) このような所望の自主放送が指定されると、ワンセグ受信部２７にその自主放送の受信を指示する（図５ステップＳ１１）。
【００６２】
すなわち、通信端末２０は、自局が位置する無線ゾーンが無線基地局１０またはこれに代わる無線基地局によって形成される場合には、その無線ゾーンで視聴することが可能であって、既述のキーワードにマッチする所望の「自主放送（「ワンセグ放送）」の番組を自動的に識別し、このような番組の視聴をユーザに推奨し、あるいはその視聴に必要な環境を提供することができる。
【００６３】
また、本実施形態が適用された通信端末２０のユーザは、複雑な操作を強いられることなく、自局の位置で受信可能であって、趣味や嗜好にマッチした所望の「自主放送（「ワンセグ放送）」を容易に視聴して有用な情報を得ることができる。
したがって、移動通信系に本実施形態が適用された場合には、自主放送を提供する事業者は、限られたエリアで視聴できる自主放送の番組を容易に多数のユーザに周知させることが可能となり、視聴率を高め、かつ高く維持することが可能となる。
【００６４】
なお、本実施形態では、通信端末２０に対する「放送識別子１」〜「放送識別子ｎ」の通知は、例えば、その通信端末２０に対して通信サービスとして提供される「ショートメッセージサービス」を利用して行われてもよい。
【００６５】
〔第二の実施形態〕
図７は、本発明の第二の実施形態を示す図である。
図において、無線ＬＡＮを構成するアクセスポイント４０が形成する無線ゾーン４０Ｚには、携帯型端末５０が位置する。このようなアクセスポイント４０は、そのアクセスポイント４０と共通のサイトに配置され、あるいはネットワークを介して接続されたデータベース６０と連係する。
【００６６】
なお、無線ゾーン４０Ｚは、ワンセグ放送を受信可能な地域に形成される。
携帯型端末５０は、図８に示すように、以下の要素で構成される。
(1) アンテナ５１
(2) そのアンテナ５１の給電点に縦続接続された無線部５２および信号処理部２３ａ
(3) 信号処理部２３ａの音声出力に接続されたスピーカ２４
(4) ＧＰＳ受信機２６
【００６７】
(5) ワンセグ受信機２７
(6) 上記無線部５２、信号処理部２３ａ、ＧＰＳ受信機２６およびワンセグ受信機２７の制御端子にそれぞれ接続された入出力ポートを有する制御部２８ａ
(7) 制御部２８ａの特定の入出力ポートに接続された操作表示部２９ａ
【００６８】
図９は、本発明の第二の実施形態におけるアクセスポイントの動作フローチャートである。
以下、図５〜図９を参照して本実施形態の動作を説明する。
本実施形態では、各部の基本的な連係は、以下の通りに行われる。
【００６９】
アクセスポイント４０は、図示されない上位ノードと連係することにより、既定の無線ゾーン４０Ｚを形成し、その無線ゾーン４０Ｚに位置する携帯型端末５０の振る舞いに応じて適宜起動される処理の手順に基づいて、この携帯型端末５０に通信サービスを提供する。
【００７０】
このような通信サービスの過程では、スピーカ２４を介して出力される音声信号は、信号処理部２３ａが制御部２８ａの配下で行う信号処理の下で生成される。無線部５２は、制御部２８ａの配下で操作表示部２９ａと相互に引き渡されるべきディジタル情報の変復調を行い、かつアンテナ５１を介してアクセスポイント４０と相互に無線信号として引き渡される。
【００７１】
アクセスポイント４０は、このようにして引き渡される無線信号に、携帯型端末５０において信号処理部２３ａおよび無線部５２が行う処理とほぼ反対の処理を施し、既述の上位ノードと相互に、その処理の結果として得られるディジタル信号を引き渡す。
【００７２】
また、携帯型端末５０では、ユーザが操作表示部２９ａに対して「ワンセグ放送」の受信にかかわる操作を行うと、制御部２８ａは、その操作に応じてワンセグ受信部２７に、受信されるべき放送の指定、音声レベル、表示の形態等を設定する。ワンセグ受信部２７は、このようなユーザの操作に応じて特定の「ワンセグ放送」を受信し、制御部２８ａを介して操作表示部２９ａに、その「ワンセグ放送」の番組（コンテンツ）を示すディジタル情報を引き渡す。したがって、ユーザは、上記操作に応じて所望の「ワンセグ放送」を視聴することができる。
【００７３】
さらに、制御部２８ａは、既述の通信サービスが提供される過程、あるいは操作表示部２９ａを介して行われるユーザの操作に応じて、携帯型端末５０の位置の計測と、アクセスポイント４０に対するその位置の通知とを行うべききっかけを識別し、ＧＰＳ受信部２６に測位指令を与える。ＧＰＳ受信部２６は、このような測位指令に応じてＧＰＳ衛星から到来する無線信号を受信し、その無線信号に基づいて所定の衛星航法処理を行うことにより、携帯型端末５０が位置する地点の緯度および経度を算出する。制御部２８ａは、信号処理部２３ａ、無線部２２およびアンテナ２１を介してアクセスポイント４０宛に、これらの緯度および経度を通知する。
【００７４】
アクセスポイント４０では、このような緯度および経度を取得し、例えば、既述の上位ノードにこれらの緯度および経度を引き渡す。
本実施形態では、データベース６０の各レコードで示される「ワンセグ放送」は、携帯型端末５０が後述する「ゾーン識別子」で示される無線ゾーンにおいて受信可能であり、宣伝・広告・プロモーション等を目的としてその無線ゾーンを含む地域でローカルに放送される「自主放送」が含まれる。
【００７５】
データベース６０には、図１０に示すように、以下の項目の組み合わせとして構成されるレコードの列が予め登録される。
(1) 携帯型端末５０が位置し得る地域に付与されたユニークな「地域識別情報」（アクセスポイント４０およびその他のアクセスポイントによって個別に形成される無線ゾーンに付与されたユニークな「ゾーン識別子」が含まれる。）
(2) 上記「地域識別情報」で示される地域において携帯型端末５０が受信し得る放送を時間帯（日付を含んでもよい。）毎に個別に示す情報をウェブサービスにより返すサーバのｕｒｌ（以下、「ウェブサービス情報」という。）
なお、このようなｕｒｌの末尾には、ＧＥＴメソッドによる問い合わせを示すパラメータが付加される。
【００７６】
なお、このようなウェブサービス情報には、図１０の下部に示すように、図４の点線部として示される「放送識別子」の列と、その「放送識別子」で個別に示される放送の「属性」とが含まれる。なお、「放送識別子」には、時間帯毎に対応する「自主放送」を受信するためにワンセグ受信部２７に設定されるべき周波数、チャネル情報その他の情報が含まれる。。「属性」には、時間帯毎に対応する「自主放送」毎に、番組のタイトル、番組の内容等を示す語や解説が含まれる。。
【００７７】
また、このようなウェブサービス情報を提供するサーバは、個々の「自主放送」の提供者の集合によって運用されるが、本発明の特徴部ではないので、ここでは、その説明を省略する。
【００７８】
本実施形態の特徴は、アクセスポイント４０および携帯型端末５０が以下の通りに連係する点にある。
携帯型端末５０では、制御部２８ａは、ユーザが操作表示部２９ａを操作することによって与えられ、そのユーザが興味を持つ（あるいは視聴を希望する）ワンセグ放送（「自主放送」を含む。）を示すキーワードを取り込み、主記憶上の特定の記憶領域に格納して保持する（図５ステップＳ１）。
【００７９】
ユーザが操作表示部２９ａに対して行う操作、あるいは既述の通信サービスのために行われる処理の過程では、各部は、アクセスポイント４０と相互に引き渡される情報として後述する情報を交換することにより、以下の通りに連係する。
制御部２８ａは、上記特定の記憶領域にキーワードが格納されているか否か判定し（図５ステップＳ２）、何らかのキーワードが格納されている場合には、信号処理部２３ａ、無線部５２およびアンテナ５１を介してアクセスポイント４０宛に、これらのキーワードの全てを通知する（図５ステップＳ３）。
【００８０】
アクセスポイント４０は、これらのキーワードを識別すると、以下の処理を行う。
(1) 該当するキーワードの送信元である携帯型端末５０が位置する無線ゾーン４０Ｚを識別する（図９ステップＳ１）。
(2) その無線ゾーン４０Ｚに付与されたユニークな「ゾーン識別子Ｚ」を識別する（図９ステップＳ２）。
(3) この時点における時刻ｔを識別する（図９ステップＳ３）。
(4) データベース６０に格納されているレコードの内、「地域識別情報」として「ゾーン識別子Ｚ」が含まれる特定のレコードを識別する（図９ステップＳ４）。
【００８１】
(5) この特定のレコードに列として含まれる「放送識別子」の内、上記時刻ｔを含む目標時間帯を特定する（図９ステップＳ５）。
(6) 下式に示すように、上記サーバのｕｒｌの末尾に上記「ゾーン識別子Ｚ（＝zzzz）」と「目標時間帯（＝pppp）」とが付加されてなるＵＲＬを生成する（図９ステップＳ６）。
ＵＲＬ＝ｕｒｌ＋‘?‘＋zzzz＋‘&‘＋pppp
(7) このＵＲＬを用いて、サーバに問い合わせを行う（図９ステップＳ７）。
(8) このような問い合わせに対する応答としてサーバから返されたウェブサービス情報に含まれる「放送識別子の列」および「属性」を取得する（図９ステップＳ８）。
【００８２】
(9) その「放送識別子の列」で示される自主放送の番組の内、上記「属性」に含まれる番組タイトル、語、解説の何れかに上記キーワードを含む（あるいは、そのキーワードとの相関性が高い）番組（以下、「該当番組」という。）の全てに個別に対応する「放送識別子
１」〜「放送識別子ｎ」を識別する（図９ステップＳ９）。なお、上記相関性は、例えば、概念、外観、称呼の多様な組み合わせに基づいて識別される。
(10)携帯型端末５０宛に、これらの「放送識別子１」〜「放送識別子ｎ」を通知する（図９ステップＳ１０）。
【００８３】
携帯型端末５０では、制御部２８ａは、アンテナ２１、無線部２２および信号処理部２３ａを介してこのような「放送識別子１」〜「放送識別子ｎ」を取り込み（図５ステップＳ４）、既述の第一の実施形態における通信端末２０と同様にして、ワンセグ受信部２７に所望の自主放送の受信を指示する（図５ステップＳ５〜ステップＳ１１）。このような自主放送の受信のために携帯型端末５０の各部で行われる連係の過程では、アンテナ５１、無線部５２、信号処理部２３ａ、制御部２８ａおよび操作表示部２９ａは、それぞれ図３に示すアンテナ２１、無線部２２、信号処理部２３、制御部２８および操作表示部２９に代わって、等価な処理を行う。
【００８４】
このように本実施形態によれば、携帯型端末５０は、無線ＬＡＮ等の通信系と別体に備えられたサーバに集約された「放送識別子の列」および「属性」をウェブサービスにより適宜参照することにより、その無線ゾーンにおける視聴が可能であって、既述のキーワードにマッチする所望の「自主放送（「ワンセグ放送）」の番組を自動的に識別し、このような番組の視聴をユーザに推奨し、あるいはその視聴に必要な環境を提供することができる。
【００８５】
また、本実施形態では、携帯型端末５０のユーザは、複雑な操作を強いられることなく、その携帯型端末５０の位置で視聴可能であって、趣味や嗜好にマッチした所望の「自主放送（「ワンセグ放送）」を容易に視聴して有用な情報を得ることができる。
したがって、移動通信系に本実施形態が適用された場合には、自主放送を提供する事業者は、限られたエリアで視聴できる自主放送の番組を容易に多数のユーザに周知させることが可能となり、視聴率の向上を図ることが可能となる。
【００８６】
なお、本実施形態では、ウェブサービス情報は、ウェブサービスに基づいて提供されなくてもよく、例えば、サーバが既述の問い合わせに応じて生成する動的なウェブページの内容を解析する処理によって生成されてもよい。
【００８７】
また、本実施形態では、サーバに対する問い合わせは、ＧＥＴメソッドに代わるＰＯＳＴメソッドに基づいて行われ、あるいはその他の如何なる方式に基づいて行われても良い。
【００８８】
さらに、これらのサーバによって提供されるウェブページやウェブサービスは、携帯型端末５０が位置し得る全ての無線ゾーンで個別に視聴可能な放送の全てに対応していなくてもよく、例えば、以下の項目毎、またはこれらの項目の任意の組み合わせ毎に対応した個別のサーバにより提供されてもよい。
【００８９】
(1) 携帯型端末５０の位置やその位置を含む地域
(2) 携帯型端末５０の機種その他の属性
(3) 「自主放送」によって提供される情報の種別
(4) 「自主放送」の提供者またはこのような提供者の団体
(5) 所望の「自主放送」が行われる時間帯
(6) 「自主放送」が提供される地域
【００９０】
また、上述した各実施形態では、通信端末２０（携帯型端末５０）が位置する地域は、その通信端末２０（携帯型端末５０）が位置する無線ゾーン毎に識別されている。
しかし、このような地域は、データベース３０、６０の各レコードに含まれる「地域識別情報」に整合するならば、以下の何れかの形態で識別されてもよい。
【００９１】
(1) ＧＰＳ受信部２６によって特定された通信端末２０（携帯型端末５０）の位置に含まれるか否かの判別が可能であり、かつ所望の「自主放送」の受信が可能な地域
(2) ＧＰＳ受信部２６を代替する測位センサーによって特定された通信端末２０（携帯型端末５０）の位置に含まれるか否かの判別が可能であり、かつ所望の「自主放送」の受信が可能な地域
【００９２】
(3) 通信端末２０（携帯型端末５０）から複数の無線基地局（アクセスポイント）に到来する受信波に基づいて求められた個別の到来角や測距の結果に基づいて算出された位置に含まれるか否かの判別が可能であり、かつ所望の「自主放送」の受信が可能な地域
(4) 複数の無線基地局から通信端末２０（携帯型端末５０）に到来した受信波に基づいて求められた個別の到来角や測距の結果に基づいて算出された位置に含まれるか否かの判別が可能であり、かつ所望の「自主放送」の受信が可能な地域
【００９３】
ここに、上記(1)〜(4)では、通信端末２０（携帯型端末５０）の位置を求め、その位置に基づいて行われる判定の処理は、通信端末２０（携帯型端末５０）と無線基地局１０（アクセスポイント４０）との如何なる連係の下で行われてもよい。
【００９４】
さらに、上述した各実施形態では、ワンセグ受信部２７は、制御部２８（２８ａ）が行う既述の処理の手順に基づいて所望の「自主放送」の受信を自動的に指示している。
しかし、本発明はこのような構成に限定されず、このような指示は、例えば、操作表示部２９（２９ａ）を介してユーザが行う操作のみに応じて行われてもよい。
【００９５】
また、上述した各実施形態では、通信端末２０（携帯型端末５０）、無線基地局（アクセスポイント）、データベース３０（６０）の連係は、総合的に等価な処理が実現されるならば、如何なる機能分散や負荷分散の下で実現されてもよい。
【００９６】
さらに、上述した各実施形態では、放送（の識別子）を報知する無線局に対する「位置」等の引き渡しに供される無線伝送路は、本発明が適用される通信系やネットワークに適した無線伝送路であるならば、如何なるものであってもよい。
【００９７】
また、本発明は、ワンセグ放送として提供される「自主放送」には限定されず、ユーザが事前に調べないと存在や視聴の方法を知り得ず、かつ特定エリアに限定して提供されるならば、以下に列記する放送や情報提供にも、同様に適用可能である。
(1) 「自主放送」には該当しないメジャーな画像放送、文字放送、音声（ラジオ）放送
【００９８】
(2) サービスの開始が検討されているMediaFLO（Media Forward Link Only)等のように、フルセグ、３セグその他の多様な数のセグメントを介して行われる放送
(3) WiFi(Wireless
Fidelity)やWiMAX（Worldwide Interoperability
for Microwave Access）などのアクセスポイントによって無線ゾーン（サービスエリア）内の端末向けに提供される情報提供
【００９９】
さらに、上述した各実施形態では、本発明は、通信端末２０（携帯型端末５０）のユーザに対して望ましい「自主放送」の視聴を可能とするために適用されている。
しかし、本発明は、このような視聴を可能とする受信機が備えられ、かつ携帯型や可搬型の端末であるならば、例えば、携帯電話・ＰＨＳの端末の他、携帯型のラジオやテレビ、ＰＤＡ、デジカメ、電子手帳、時計、歩数計、ゲーム機、音楽プレーヤー、パソコン、カーナビゲーション（ハンディタイプ含む）、アドホック・マルチホップ通信系にアクセスする端末（ノード）等の多様な端末にも適用可能である。
【０１００】
また、上述した各実施形態では、本発明は、無線基地局１０（アクセスポイント４０）に適用されている。
しかし、本発明は、ＰＨＳシステムの無線基地局、放送局（送信所、ブースター局）、微弱電波等による放送設備（イベント・展示会場のブース等に設置される。）にも、上記無線基地局１０（アクセスポイント４０）の代わりに適用可能である。
【０１０１】
さらに、上述した各実施形態では、データベース３０（６０）は、予め登録され、かつ通信端末２０（携帯型端末５０）宛に提供され得る情報の内容・形式に整合するならば、無線基地局１０（アクセスポイント４０）と一体に構成されてもよい。
【０１０２】
また、上述した各実施形態では、無線基地局１０（アクセスポイント４０）とデータベース３０（６０）とは、同じサイトと異なるサイトとの何れに配置されてもよい。
【０１０３】
さらに、上述した各実施形態では、通信端末２０（携帯型端末５０）、無線基地局１０（アクセスポイント４０）およびデータベース３０（６０）が連係するために行われる機能分散や負荷分散の形態は、如何なるものであってもよい。
【０１０４】
また、上述した各実施形態では、通信端末２０（携帯型端末５０）に対して既述の「放送識別子１」〜「放送識別子ｎ」を通知する処理が起動されるきっかけは、既述の発信、着信、位置登録の更新、所望のウェブページ（ウェブサービス）を提供するサーバへのアクセスに限定されず、例えば、以下の何れであってもよい。
【０１０５】
(1) 通信端末２０（携帯型端末５０）に組み込まれたアプリによって自動的にあるいはユーザの操作に応じて識別されるイベント
(2) 通信端末２０（携帯型端末５０）による所望の放送の受信
(3) このような受信のためにユーザによって行われる所定の操作
【０１０６】
(4) 通信端末２０（携帯型端末５０）に対して行われる同報伝送やマルチキャストの受信時
(5) 通信端末２０（携帯型端末５０）によるメールの送信、受信
(6) 通信端末２０（携帯型端末５０）によって行われる放送チャネルのサーチあるいは検知
【０１０７】
さらに、上述した各実施形態では、通信端末２０（携帯型端末５０）に対して通知される「放送識別子１」〜「放送識別子ｎ」には、例えば、周波数帯（チャネル情報）、コンテンツの内容、情報種別（ワンセグ、フルセグ、ラジオなどの媒体識別子）等が含まれる。
【０１０８】
しかし、これらの「放送識別子１」〜「放送識別子ｎ」には、該当する「自主放送」に関して、その存在をユーザに知らしめ、かつ視聴を可能とする情報に併せて、如何なる情報が付加されてもよい。
【０１０９】
また、上述した各実施形態では、既述のキーワードは、
通信端末２０（携帯型端末５０）のユーザによって予め設定されなくてもよく、例えば、「そのユーザによって視聴された放送」の履歴、「実績としてアクセスされたことがあるウェブページやウェブサービス」の履歴に基づいて判別された趣味や嗜好を示す語（類義語、関連語が含まれてもよい。）として、自動的に設定されてもよい。
【０１１０】
さらに、上述した各実施形態では、本発明は、通信端末２０（携帯型端末５０）と、これらの通信端末２０（携帯型端末５０）によって無線伝送路を介して対向する無線基地局１０（アクセスポイント４０）とに適用されている。
しかし、このような無線伝送路は、電波によって形成されなくてもよく、例えば、電波に限らず、光信号、誘導無線、超音波等の何れを介して形成されてもよい。
【０１１１】
また、上述した各実施形態では、通信端末２０（携帯型端末５０）にワンセグ受信機２７が予め組み込まれているが、このようなワンセグ受信機２７は着脱可能なパッケージやモジュールのようなオプション機器であってもよい。
さらに、本発明は、上述した実施形態に限定されず、本発明の範囲において多様な実施形態の構成が可能であり、構成要素の全てまたは一部に如何なる改良が施されてもよい。
【０１１２】
以下、本願に開示された発明を整理し、「特許請求の範囲」の欄に対する記載から除外された本発明の構成、手段および効果を「特許請求の範囲」および「課題を解決するための手段」の欄の記載に準じた様式により列記する。
【０１１３】
［請求項１６］  請求項１ないし請求項６の何れか１項に記載の通信端末において、
前記移動通信系から前記放送の通知に供される無線伝送路を特定する伝送路特定手段を備え、
前記識別手段は、
前記無線伝送路を介して前記移動通信系から通知された放送を識別する
ことを特徴とする通信端末。
このような構成の通信端末では、伝送路特定手段は、請求項１ないし請求項６の何れか１項に記載の通信端末において、前記移動通信系から前記放送の通知に供される無線伝送路を特定する。前記識別手段は、前記無線伝送路を介して前記移動通信系から通知された放送を識別する。
すなわち、通信端末に対する放送の通知は、上記移動通信系の主導の下で特定された無線伝送路を介して行われる。
したがって、通信端末に対する上記放送の通知は、移動通信系の構成に大きな変更が伴うことなく実現される。
【０１１４】
［請求項１７］  請求項１ないし請求項６の何れか１項に記載の通信端末において、
前記受信支援手段は、
前記移動通信系から通知された放送の数が複数であるときに、前記複数の放送の何れかを選択するためにユーザが行う操作を支援する
ことを特徴とする通信端末。
【０１１５】
このような構成の通信端末では、請求項１ないし請求項６の何れか１項に記載の通信端末において、前記受信支援手段は、前記移動通信系から通知された放送の数が複数であるときに、前記複数の放送の何れかを選択するためにユーザが行う操作を支援する。
すなわち、本発明に係る通信端末が受信可能である複数の放送の内、その通信端末のユーザの意図やニーズに即した放送の受信が達成される。
したがって、本発明に係る通信端末では、放送の受信を実現する手段の有効な活用が可能となる。
【０１１６】
［請求項１８］  請求項１ないし請求項６の何れか１項に記載の通信端末において、
前記移動通信系から通知される放送には、
個別に属性を示す情報が含まれ、
前記受信支援手段は、
前記移動通信系から通知された放送の内、予め設定された語、句、文の何れかと前記属性を示す情報との相関性が高い放送を優先して受信し、あるいは前記相関性が低い放送を前記受信の対象から除外する
ことを特徴とする通信端末。
【０１１７】
このような構成の通信端末では、請求項１ないし請求項６の何れか１項に記載の通信端末において、前記移動通信系から通知される放送には、個別に属性を示す情報が含まれる。前記受信支援手段は、前記移動通信系から通知された放送の内、予め設定された語、句、文の何れかと前記属性を示す情報との相関性が高い放送を優先して受信し、あるいは前記相関性が低い放送を前記受信の対象から除外する。
すなわち、本発明に係る通信端末では、ユーザの意図やニーズに即した放送の選択は、上述した語、句、文の何れもが移動通信系に転送されることくなく可能となる。
したがって、本発明に係る通信端末が属する移動通信系では、このような通信端末の数が多数であることによる過負荷の回避が図られ、サービス品質および通信品質が高く安定に維持される。
【０１１８】
［請求項１９］  請求項１ないし請求項６の何れか１項に記載の通信端末において、
前記受信の対象となるべき放送の属性を前記移動通信系に通知する属性通知手段を備え、
前記受信支援手段は、
前記移動通信系から通知され、かつ前記属性に整合した放送を受信の対象とする
ことを特徴とする通信端末。
【０１１９】
このような構成の通信端末では、請求項１ないし請求項６の何れか１項に記載の通信端末において、属性通知手段は、前記受信の対象となるべき放送の属性を前記移動通信系に通知する。前記受信支援手段は、前記移動通信系から通知され、かつ前記属性に整合した放送を受信の対象とする。
すなわち、本発明に係る通信端末では、受信の対象から除外され得る放送の通知が移動通信系によって無用に行われることなく、ユーザの意図やニーズに即した放送を受信の対象とすることができる。
したがって、移動通信系における無線伝送区間の伝送容量の無用な増加が制限され、総合的な性能が高く維持される。
【０１２０】
［請求項２０］  請求項１、２、３、４、５、６、１６、１７、１８、１９の何れか１項に記載の通信端末において、
前記識別手段および前記受信支援手段は、
前記通信端末に組み込まれたアプリケーションとして構成された
ことを特徴とする通信端末。
【０１２１】
このような構成の通信端末では、請求項１、２、３、４、５、６、１６、１７、１８、１９の何れか１項に記載の通信端末において、前記識別手段および前記受信支援手段は、前記通信端末に組み込まれたアプリケーションとして構成される。
すなわち、上記通信端末では、識別手段や受信支援手段の機能および仕様の変更が上記アプリケーションの更新によって柔軟に達成される。
したがって、本発明に係る通信端末では、その通信端末の本来的な機能および仕様と、本発明の適用に必要な機能との連係関係が粗となり、総合的な価格性能比が維持される。
【０１２２】
［請求項２１］  請求項７ないし請求項１０の何れか１項に記載の電子装置において、
前記放送の前記移動通信系からの通知に供される無線伝送路を特定する伝送路特定手段を備え、
前記識別手段は、
前記無線伝送路を介して前記移動通信系から通知された放送を識別する
ことを特徴とする電子装置。
【０１２３】
このような構成の電子装置では、請求項７ないし請求項１０の何れか１項に記載の電子装置において、伝送路特定手段は、前記放送の前記移動通信系からの通知に供される無線伝送路を特定する。前記識別手段は、前記無線伝送路を介して前記移動通信系から通知された放送を識別する。
すなわち、電子装置に対する放送の通知は、上記移動通信系の主導の下で特定された無線伝送路を介して行われる。
したがって、電子装置に対する上記放送の通知は、移動通信系の構成に大きな変更が伴うことなく実現される。
【０１２４】
［請求項２２］  請求項７ないし請求項１０の何れか１項に記載の電子装置において、
前記受信支援手段は、
前記無線伝送により報知された放送の数が複数であるときに、前記複数の放送の何れかを選択するためにユーザが行う操作を支援する
ことを特徴とする電子装置。
【０１２５】
このような構成の電子装置では、請求項７ないし請求項１０の何れか１項に記載の電子装置において、前記受信支援手段は、前記無線伝送により報知された放送の数が複数であるときに、前記複数の放送の何れかを選択するためにユーザが行う操作を支援する。
すなわち、本発明に係る電子装置が受信可能である複数の放送の内、その電子装置のユーザの意図やニーズに即した放送の受信が達成される。
したがって、本発明に係る電子装置では、放送の受信を実現する手段の有効な活用が可能となる。
【０１２６】
［請求項２３］  請求項７ないし請求項１０の何れか１項に記載の電子装置において、
前記移動通信系から通知される放送には、
個別に属性を示す情報が含まれ、
前記受信支援手段は、
前記移動通信系から通知された放送の内、予め設定された語、句、文の何れかと前記属性を示す情報との相関性が高い放送を優先して受信し、あるいは前記相関性が低い放送を前記受信の対象から除外する
ことを特徴とする電子装置。
【０１２７】
このような構成の電子装置では、請求項７ないし請求項１０の何れか１項に記載の電子装置において、前記移動通信系から通知される放送には、個別に属性を示す情報が含まれる。前記受信支援手段は、前記移動通信系から通知された放送の内、予め設定された語、句、文の何れかと前記属性を示す情報との相関性が高い放送を優先して受信し、あるいは前記相関性が低い放送を前記受信の対象から除外する。
すなわち、本発明に係る電子装置では、ユーザの意図やニーズに即した放送の選択は、上述した語、句、文の何れかもが移動通信系に転送されることくなく可能となる。
したがって、本発明に係る電子装置がアクセスする系では、このような電子装置の数が多数であることによる過負荷の回避が図られ、サービス品質および通信品質が高く安定に維持される。
【０１２８】
［請求項２４］  請求項７ないし請求項１０の何れか１項に記載の電子装置において、
前記無線伝送を行う無線局宛に、前記受信の対象となるべき放送の属性を通知する属性通知手段を備え、
前記受信支援手段は、前記無線局から報知され、かつ前記属性に整合した放送を受信の対象とする
ことを特徴とする電子装置。
【０１２９】
このような構成の電子装置では、請求項７ないし請求項１０の何れか１項に記載の電子装置において、属性通知手段は、前記無線伝送を行う無線局宛に、前記受信の対象となるべき放送の属性を通知する。前記受信支援手段は、前記無線局から報知され、かつ前記属性に整合した放送を受信の対象とする。
すなわち、本発明に係る電子装置では、受信の対象から除外され得る放送の通知が無用に行われることなく、ユーザの意図やニーズに即した放送を受信の対象とすることができる。
したがって、上述した放送の通知に供される無線伝送区間の伝送容量が無用に増加することが制限され、総合的な性能が高く維持される。
【０１３０】
［請求項２５］  請求項７、８、９、１０、２２、２３、２４の何れか１項に記載の電子装置において、
前記識別手段および前記受信支援手段は、
前記通信端末に組み込まれたアプリケーションとして構成された
ことを特徴とする電子装置。
【０１３１】
このような構成の電子装置では、請求項７、８、９、１０、２２、２３、２４の何れか１項に記載の電子装置において、前記識別手段および前記受信支援手段は、前記通信端末に組み込まれたアプリケーションとして構成される。
すなわち、上記電子装置では、識別手段や受信支援手段の機能および仕様の変更が上記アプリケーションの更新によって柔軟に達成される。
したがって、本発明に係る電子装置では、その電子装置の本来的な機能および仕様と、本発明の適用に必要な機能との連係関係が粗となり、総合的な価格性能比が維持される。
【０１３２】
［請求項２６］  請求項１１ないし請求項１３の何れか１項に記載の無線装置において、
前記報知手段は、
前記端末の位置に基づいてサーバに問い合わせ、前記端末の位置で前記端末が受信可能な放送を識別する
ことを特徴とする無線装置。
【０１３３】
このような構成の無線装置では、請求項１１ないし請求項１３の何れか１項に記載の無線装置において、前記報知手段は、前記端末の位置に基づいてサーバに問い合わせ、前記端末の位置で前記端末が受信可能な放送を識別する。
すなわち、端末がその端末の位置で受信可能な放送は、本発明に係る無線装置とは別に設けられたサーバとの連係により得られ、該当する端末によって識別される。
したがって、配下の端末に対するこのような放送の通知は、上記無線装置の機能や負荷の分散の下で実現される。
【０１３４】
［請求項２７］  請求項１１ないし請求項１３の何れか１項に記載の無線装置において、
前記報知手段は、
前記端末の位置に基づいてデータベースに問い合わせ、前記端末の位置で前記端末が受信可能な放送を識別する
ことを特徴とする無線装置。
【０１３５】
このような構成の無線装置では、請求項１１ないし請求項１３の何れか１項に記載の無線装置において、前記報知手段は、前記端末の位置に基づいてデータベースに問い合わせ、前記端末の位置で前記端末が受信可能な放送を識別する。
すなわち、端末がその端末の位置で受信可能な放送は、本発明に係る無線装置によって参照可能なデータベースとの連係により得られ、該当する端末によって識別される。
したがって、配下の端末に対するこのような放送の通知は、上記無線装置の機能や負荷の分散の下で実現される。
【０１３６】
［請求項２８］  請求項２６または請求項２７の何れか１項に記載の無線装置において、
前記報知手段は、
前記端末によって通知された属性との相関性が高い放送を優先して識別し、かつ前記端末に報知する
ことを特徴とする無線装置。
【０１３７】
このような構成の無線装置では、請求項２６または請求項２７の何れか１項に記載の無線装置において、前記報知手段は、前記端末によって通知された属性との相関性が高い放送を優先して識別し、かつ前記端末に報知する。
すなわち、上記端末宛に報知される放送には、その端末のユーザの意図やニーズに即した放送以外の放送が含まれない。
したがって、本発明に係る無線装置では、個々の端末に対しても、ユーザの意図やニーズに即した放送以外の放送の通知のために無線伝送路の伝送容量を高く確保する必要がない。
【符号の説明】
【０１３８】
１０  無線基地局
１０Ｚ，４０Ｚ  無線ゾーン
１１，２１，５１  アンテナ
１２，２２，５２  無線部
１３，２３，２３ａ  信号処理部
１４  通信路
１５，２８，２８ａ  制御部
２０  通信端末
２４  スピーカ
２５  マイク
２６  ＧＰＳ受信機
２７  ワンセグ受信機
２９，２９ａ  操作表示部
３０，６０  データベース
４０  アクセスポイント
５０  通信装置
【図１】
2011135203.tif 000003
【図２】
2011135203.tif 000004
【図３】
2011135203.tif 000005
【図４】
2011135203.tif 000006
【図５】
2011135203.tif 000007
【図６】
2011135203.tif 000008
【図７】
2011135203.tif 000009
【図８】
2011135203.tif 000010
【図９】
2011135203.tif 000011
【図１０】
2011135203.tif 000012